(57)【要約】【課題】デジタル放送受信用の部品から発生するノイズの影響を受けることなくアナログ放送を受信する。【解決手段】デジタル放送波受信部９から供給された信号を復調した後に出力するデジタル関連部２と、アナログ放送波受信部１０から供給された信号を復調した後に出力するアナログ関連部３と、デジタル関連部２及びアナログ関連部３に電力を供給する電源４と、デジタル関連部２とアナログ関連部３とを動作制御する制御部５とによって放送波を受信する。アナログ放送波を受信する時に制御部５は電源４からデジタル関連部３への電力の供給を停止させる。具体的にはアナログ放送波を受信する時に制御部５は電源４から表示部２４若しくは及びデジタル処理部２２またはＤＣ−ＤＣコンバータ２１への電力の供給を停止させる。【選択図】図１
2008245000.tif 000002
【特許請求の範囲】
【請求項１】
デジタル放送波受信部から供給された信号を復調した後に出力するデジタル関連部と、
アナログ放送波受信部から供給された信号を復調した後に出力するアナログ関連部と、
前記デジタル関連部及び前記アナログ関連部に電力を供給する電源と、
前記デジタル関連部と前記アナログ関連部とを動作制御する制御部と
によって放送波を受信する方法であって、
アナログ放送波を受信する時に前記制御部は前記電源から前記デジタル関連部への電力の供給を停止させること
を特徴とする放送波受信方法。
【請求項２】
前記デジタル関連部は、
前記デジタル放送波受信部の出力信号をＡＤ変換した後に復調するデジタル処理部と
このデジタル処理部によって復調されたデジタル放送を表示する表示部と
を備え、
アナログ放送波を受信する時に前記制御部が前記電源から前記表示部への電力の供給を停止させること
を特徴とする請求項１に記載の放送波受信方法。
【請求項３】
前記アナログ放送波を受信する時に前記制御部は前記デジタル処理部への電力の供給を停止させること
を特徴とする請求項２に記載の放送波受信方法。
【請求項４】
前記デジタル関連部は前記電源から前記デジタル処理部及び前記表示部への電力の供給を中継するＤＣ−ＤＣコンバータを備え、
アナログ放送波を受信する時に前記制御部が前記電源から前記ＤＣ−ＤＣコンバータへの電力の供給を停止させること
を特徴とする請求項２に記載の放送波受信方法。
【請求項５】
入力信号を発生させる入力部を備え、
アナログ放送波を受信している時に前記入力部から入力信号が発生すると、前記制御部が前記電源から前記表示部への電力の供給を再開させること
を特徴とする請求項２に記載の放送波受信方法。
【請求項６】
前記制御部は前記電源から前記表示部への電力の供給を再開させた時点から所定時間経過後に前記電力の供給を停止させること
を特徴とする請求項５に記載の放送波受信方法。
【請求項７】
デジタル放送波受信部から供給された信号を復調した後に出力するデジタル関連部と、
アナログ放送波受信部から供給された信号を復調した後に出力するアナログ関連部と、
前記デジタル関連部及び前記アナログ関連部に電力を供給する電源と、
アナログ放送波を受信する時に前記電源から前記デジタル関連部への電力の供給を停止させる制御部と
を備えたこと
を特徴とする放送波受信装置。
【請求項８】
前記デジタル関連部は、
前記デジタル放送波受信部の出力信号をＡＤ変換した後に復調するデジタル処理部と
このデジタル処理部によって復調されたデジタル放送を表示する表示部と
を備え、
アナログ放送波を受信する時に前記制御部は前記電源から前記表示部への電力の供給を停止させること
を特徴とする請求項７に記載の放送波受信装置。
【請求項９】
前記アナログ放送波を受信する時に前記制御部は前記デジタル処理部への電力の供給を停止させること
を特徴とする請求項８に記載の放送波受信装置。
【請求項１０】
前記デジタル関連部は前記電源から前記デジタル処理部及び前記表示部への電力の供給を中継するＤＣ−ＤＣコンバータを備え、
アナログ放送波を受信する時に前記制御部が前記電源から前記ＤＣ−ＤＣコンバータへの電力の供給を停止させること
を特徴とする請求項８に記載の放送波受信装置。
【請求項１１】
入力信号を発生させる入力部を備え、
アナログ放送波を受信している時に前記入力部から入力信号が発生すると、前記制御部が前記電源から前記表示部への電力の供給を再開させること
を特徴とする請求項８に記載の放送波受信装置。
【請求項１２】
前記制御部は前記電源から前記表示部への電力の供給を再開させた時点から所定時間経過後に前記電力の供給を停止させること
を特徴とする請求項１１に記載の放送波受信装置。
【発明の詳細な説明】
【技術分野】
【０００１】
本発明は放送波受信方法及びその装置に関する。
【背景技術】
【０００２】
ラジオ放送波受信機能とテレビ放送波受信機能とを有する受信装置はＦＭ変調されたテレビ放送の信号を受信することでＡＭ放送、ＦＭ放送及びテレビ放送の音声を受信できるようになっている（特許文献１等）。
【０００３】
また、移動体端末向けの地上波デジタル放送（いわゆるワンセグメント放送）の開始により携帯電話に例示されるような携帯端末によってＦＭ放送の受信と共に地上波デジタル放送の視聴ができるようになっている。このような携帯端末も受信した地上波デジタル放送の音声信号をＦＭ復調させてＦＭ放送と地上波デジタル放送の音声を聴けるようになっている。
【特許文献１】特開２０００−１３４１２６
【発明の開示】
【発明が解決しようとする課題】
【０００４】
デジタル放送波を受信する機能とアナログ放送波を受信する機能とを有する放送波受信装置はデジタル放送波受信系及びデジタル処理系の部品類の動作時に発生するノイズによって前記アナログ放送波の低下を招いている。特に、地上波デジタル放送波の信号処理系や画像表示系の電子部品から発生するノイズがＡＭ放送の受信周波数帯とかぶり、ＡＭ放送波の受信感度の劣化を招いている。
【０００５】
従来のＦＭラジオ放送と地上波デジタル放送とを受信できる放送波受信装置はデジタル放送波の受信用の部品から発生するノイズのアナログ放送受信に対する影響について考慮されていない。
【課題を解決するための手段】
【０００６】
そこで、前記課題を解決するための放送波受信方法は、デジタル放送波受信部から供給された信号を復調した後に出力するデジタル関連部と、アナログ放送波受信部から供給された信号を復調した後に出力するアナログ関連部と、前記デジタル関連部及び前記アナログ関連部に電力を供給する電源と、前記デジタル関連部と前記アナログ関連部とを動作制御する制御部とによって放送波を受信する方法であって、アナログ放送波を受信する時に前記制御部は前記電源から前記デジタル関連部への電力の供給を停止させる。
【０００７】
また、前記課題を解決するための放送波受信装置は、デジタル放送波受信部から供給された信号を復調した後に出力するデジタル関連部と、アナログ放送波受信部から供給された信号を復調した後に出力するアナログ関連部と、前記デジタル関連部と前記アナログ関連部とに電力を供給する電源と、アナログ放送波を受信する時に前記電源から前記デジタル関連部への電力の供給を停止させる制御部とを備える。
【０００８】
前記放送波受信方法及びその装置によればアナログ放送波を受信する際に前記電源から前記デジタル関連部への電力の供給が停止する。したがって、アナログ放送波を受信する際に前記デジタル関連部が動作しないので前記デジタル関連部からのノイズが解消される。
【０００９】
前記デジタル関連部は、前記デジタル放送波受信部の出力信号をＡＤ変換した後に復調するデジタル処理部とこのデジタル処理部によって復調されたデジタル放送を表示する表示部とを備え、アナログ放送波を受信する時に前記制御部が前記電源から前記表示部への電力の供給を停止させるようにしてもよい。アナログ放送波を受信する際に前記電源から前記表示部への電力の供給が停止する。したがって、アナログ放送波を受信する際に前記表示部が動作しないので前記表示部からのノイズが解消される。
【００１０】
また、アナログ放送波を受信する時に前記制御部は前記電源から前記表示部及び前記デジタル処理部への電力の供給を停止させるようにするとよい。アナログ放送波を受信する際に前記電源から前記表示部及び前記デジタル処理部への電力の供給が停止する。したがって、アナログ放送波を受信する際に表示部とデジタル処理部が動作しないので前記表示部及びデジタル部からのノイズが解消される。
【００１１】
前記デジタル関連部は前記電源から前記デジタル処理部及び前記表示部への電力の供給を中継するＤＣ−ＤＣコンバータを備え、アナログ放送波を受信する時に前記制御部が前記電源から前記ＤＣ−ＤＣコンバータへの電力の供給を停止させるようにするとよい。アナログ放送波を受信する際に前記電源から前記ＤＣ−ＤＣコンバータへの電力の供給が停止しこれに伴い前記デジタル処理部及び前記表示部への電力の供給が停止する。したがって、アナログ放送波を受信する際に、前記ＤＣ−ＤＣコンバータと共に前記デジタル処理部及び前記表示部が動作しないので、前記ＤＣ−ＤＣコンバータからのノイズだけでなく前記デジタル処理部及び前記表示部からのノイズも解消される。
【００１２】
以上の放送波受信方法及びその装置においては、入力信号を発生する入力部を備え、アナログ放送波を受信している時に前記入力部から入力信号が発生すると、前記制御部が前記電源から前記表示部への電力の供給を再開させるようにするとよい。アナログ放送を受信している時でも、入力信号が発生すると前記電源から前記表示部への電力の供給が再開し、前記表示部から入力信号が開示されるので、操作性が確保される。
【００１３】
さらに、この放送波受信方法及びその装置においては、前記制御部は前記電源から前記表示部への電力の供給を再開させた時点から所定時間経過後に前記電力の供給を停止させるようにするとよい。入力信号が出力表示された後にアナログ受信感度が復帰するので、操作性と共にアナログ受信感度が確保される。
【発明の効果】
【００１４】
したがって、以上の発明によればデジタル放送受信用の部品から発生するノイズの影響を受けることなくアナログ放送を受信できる。
【発明を実施するための最良の形態】
【００１５】
図１は発明の一実施形態に係る放送波受信装置１の系統図である。また、図２は放送波受信装置１の態様を例示した正面図である。
【００１６】
放送波受信装置１は図１に示されたようにデジタル関連部２とアナログ関連部３と電源４と制御部５を備える。デジタル関連部２はデジタル放送波受信部９の出力信号（ワンセグメント放送ＲＦ）を復調した後に出力する。アナログ関連部３はアナログ放送波受信部１０の出力信号（ＡＭ放送ＲＦ，ＦＭ放送ＲＦ）を復調した後に出力する。ワンセグメント放送ＲＦ及びＦＭ放送ＲＦは図２に示された放送波受信装置１の本体１１に具備されたアンテナ１２を介してそれぞれデジタル放送波受信部９及びアナログ放送波受信部１０に供給される。電源４はデジタル関連部２、アナログ関連部３及び制御部５に電力を供給する。電源４としてはバッテリーまたは交流電源が利用される。交流電源は直流変換器を介して利用されることは言うまでもない。制御部５は入力部６から供給された入力信号に基づきデジタル関連部２とアナログ関連部３とを動作制御する。制御部５は例えばマイクロコンピュータによって構成すればよい。
【００１７】
入力部６は図２に例示されたように決定ボタン１３と第一操作ボタン１４と第二操作ボタン１５を備える。決定ボタン１３、第一操作ボタン１４及び第二操作ボタン１５は放送波受信装置１の本体１１の正面に配置されている。
【００１８】
決定ボタン１３は長押し等により放送波受信装置１の起動及び停止を実行するための入力信号を発生させる。また、放送波受信装置１が起動している場合、決定ボタン１３は液晶表示部（ＬＣＤ）２４の画面に表示されたメニュー、モード、その他音量や画面の明るさ等の各種の項目を選択実行するための入力信号を発生させる。
【００１９】
第一操作ボタン１４及び第二操作ボタン１５は液晶表示部２４の画面に表示されたカーソルを移動させるための入力信号を発生させる。特に、第一操作ボタン１４は例えば前記カーソルを前記画面の上方向または右方向に移動させるための入力信号を発生させる。第二操作ボタン１５は例えば前記カーソルを前記画面の下方向または左方向に移動を実行させるための入力信号を発生させる。
【００２０】
デジタル関連部２は図１に示されたように少なくともＤＣ−ＤＣコンバータ２１とデジタル処理部２２と液晶表示ドライバ（ＬＣＤドライバ）２３と液晶表示部２４を含んでいる。ＤＣ−ＤＣコンバータ２１は電源４からデジタル処理部２２、液晶表示ドライバ２３及び液晶表示部２４への電力の供給を中継する。デジタル処理部２２はデジタル放送波受信部９の出力信号をＡＤ変換する機能とこの変換した信号を復調させる機能を有する。液晶表示部２４はデジタル処理部２２によって復調された映像信号を表示する表示部であり放送波受信装置１の本体１１の正面に配置されている。
【００２１】
液晶表示部２４は液晶表示ドライバ２３と制御部５の制御を受ける。液晶表示ドライバ２３はデジタル処理部２２から供給された信号（映像信号）を液晶表示部２４に出力させる。また、液晶表示ドライバ２３はアナログ関連部３のアナログ放送波復調部３２から供給された信号に基づきラジオ局の周波数を表示させる機能を有する。一方、デジタル処理部２２から映像信号と同期して出力された音声信号は増幅部７を介してスピーカー８に供給される。デジタル処理部２２はＤＳＰ（デジタル信号処理プロセッサ）の機能を有するマイクロプロセッサによって構成してもよい。尚、液晶表示ドライバ２３の機能はデジタル処理部２２の機能に含ませてもよい。
【００２２】
アナログ関連部３は少なくとも電源ＩＣ３１とアナログ放送波復調部３２を含んでいる。電源ＩＣ３１は電源４からアナログ放送波復調部３２への電力の供給を中継する。電源ＩＣ３１には低ノイズ性の電源ＩＣを適用すると電源回路に由来するノイズを低減できる。前記低ノイズ性の電源ＩＣは既知の仕様のものを採用すればよい。アナログ放送波復調部３２はアナログ放送波受信部１０の出力信号（ＡＭ放送ＲＦ，ＦＭ放送ＲＦ）を復調する。アナログ放送波復調部３２は電源ＩＣ３１を介して制御部５によって制御される。アナログ放送波復調部３２から出力された音声信号は増幅部７を介してスピーカー８に供給される。また、受信しているラジオ放送（ＡＭまたはＦＭ）の周波数を液晶表示部２４に表示させるためにアナログ放送波復調部３２からは前記周波数を示す信号が液晶表示ドライバ２３に供給される。
【００２３】
制御部５はデジタル関連部２の制御機能の一つとしてアナログ放送波を受信する時に電源４からデジタル関連部２への電力の供給停止を実行する。
【００２４】
制御部５による具体的な制御例としてはアナログ放送波を受信する時に電源４から液晶表示部２４への電力の供給停止を実行させる。この制御によればアナログ放送波を受信する際に液晶表示部２４への電力の供給が停止するので液晶表示部２４の動作に起因するノイズが解消される。
【００２５】
制御部５による他の具体的な制御例としてはアナログ放送波を受信する時にデジタル処理部２２への電力の供給停止を実行させる。この制御によればアナログ放送波を受信する際に液晶表示部２４への電力の供給が停止するので液晶表示部２４の動作に起因するノイズが解消される。
【００２６】
制御部５による他の具体的な制御例としてはアナログ放送波を受信する時に液晶表示ドライバ２３への電力の供給停止を実行させる。この制御によればアナログ放送波を受信する際に液晶表示ドライバ２３への電力の供給が停止するので液晶表示ドライバ２３の動作に起因するノイズが解消される。
【００２７】
制御部５による他の具体的な制御例としてはアナログ放送波を受信する時にデジタル処理部２２と液晶表示部２４への電力の供給停止を実行させる。この制御によればアナログ放送波を受信する際にデジタル処理部２２と液晶表示部２４への電力の供給が停止するので液晶表示部２４の動作に起因するノイズが解消され、アナログ放送波の受信感度が向上する。
【００２８】
制御部５による他の具体的な制御例としてはアナログ放送波を受信する時に電源４からＤＣ−ＤＣコンバータ２１への電力の供給停止を実行させる。この制御によればアナログ放送波を受信する際に電源４からＤＣ−ＤＣコンバータ２１への電力の供給が停止しこれに伴いデジタル処理部２２、液晶表示ドライバ２３及び液晶表示部２４への電力の供給が停止する。したがって、アナログ放送波を受信する際にＤＣ−ＤＣコンバータ２１の動作に起因するノイズだけでなくデジタル処理部２２、液晶表示ドライバ２３及び液晶表示部２４の動作に起因するノイズも解消されてアナログ放送波の受信感度がさらに一層向上する。
【００２９】
以上例示列挙された制御方式はアナログ放送波の受信感度に基づきランク付けするとよい。そして、このランク付けされた制御方式は、液晶表示部２４によって表示されるようにし、入力部６（決定ボタン１３，第一操作ボタン１４，第二操作ボタン１５）の操作によって任意に選択できるようにするとよい。
【００３０】
制御部５による他の制御例としては、アナログ放送波を受信している時に入力部６から入力信号が発生すると、制御部５は電源４から液晶表示部２４への電力の供給を再開させる。アナログ放送を受信している時でも、入力部６が入力信号を発生させると電源４から液晶表示部２４への電力の供給が再開するので、液晶表示部２４は入出力信号（例えばメニュー画面や受信しているＡＭ局の名称等を表示した画面）を開示できる。したがって、放送波受信装置１の操作性が確保される。
【００３１】
また、制御部５は電源４から液晶表示部２４への電力の供給を再開させた時点から所定時間経過後に前記電力の供給を停止させるようにするとよい。液晶表示部２４が入力信号を出力表示した後に消灯するのでアナログ受信感度が復帰する。したがって、ＡＭ放送を受信している場合にはアナログ受信感度が確保され、ＦＭ放送を受信している場合には電力の節約が可能となる。
【００３２】
図１〜図３を参照しながら放送波受信装置１の動作例について説明する。
【００３３】
ステップＳ１では放送波受信装置１の決定ボタン１３が押されると電源４から電力がデジタル関連部２、アナログ関連部３及び制御部５に供給されて液晶表示部２４が点灯する。
【００３４】
ＡＭ放送を聞く場合、ステップＳ２で第一操作ボタン１４及び第二操作ボタン１５が操作されて液晶表示部２４に表示された「メニュー画面」から「ＡＭ」のモードが選択される。
【００３５】
次に、ステップＳ３で第一操作ボタン１４及び第二操作ボタン１５が操作されて所定のＡＭ局が選局される。液晶表示部２４は選局されたＡＭ局の名前と周波数を表示させる。図２に示された液晶表示部２４の画面２４には例えばＡＭ局の「プリセット番号」、「ＡＭ局名」、「周波数」が表示される。具体的には図４に例示された画面２５のようにプリセット番号「３」、ＡＭ局名「ＡＭ 青森」及び周波数「１２３３ ｋＨｚ」が表示される。
【００３６】
ステップＳ３が実行された後に一定時間経過すると、ステップＳ４で制御部５は電源５からＤＣ−ＤＣコンバータ２１への電力が停止する。これによりデジタル処理部２２、液晶表示ドライバ２３及び液晶表示部２４への電力の供給が停止する。そして、図５に示されたように液晶表示部２４の画面２５が消灯する。
【００３７】
その後、ステップＳ５で決定ボタン１３と第一操作ボタン１４と第二操作ボタン１５のいずれかが押されると入力信号が発生する。
【００３８】
そして、ステップＳ６で制御部５は電源４からデジタル処理部２２及び液晶表示部２４への電力の供給を再開させる。これにより図４に例示されたように液晶表示部２４の画面２５が点灯する。この画面２５によって放送波受信装置１の利用者は聞いているＡＭ局を確認できる。
【００３９】
また、他のＡＭ局を聞きたい場合、ステップＳ７で決定ボタン１３、第一操作ボタン１４及び第二操作ボタン１５の操作により他のＡＭ局が選択されると（ＹＥＳ）、液晶表示部２４は選局されたＡＭ局の名前と周波数を表示させる。
【００４０】
その後、一定時間経過するとステップＳ４に移行する。すなわち、制御部５は電源４からＤＣ−ＤＣコンバータ２１への電力の供給を停止させてデジタル処理部２２及び液晶表示部２４の動作を停止させる。
【００４１】
一方、ワンセグメント放送を観賞する場合またはＦＭ放送を聴く場合、ステップＳ８で決定ボタン１３、第一操作ボタン１４及び第二操作ボタン１５の操作により「ワンセグ」または「ＦＭ」のモードが選択される。「ＦＭ」のモードが選択された後にプリセットされたＦＭ局がさらに選択された場合、前記ＦＭ局のプリセット番号及び周波数等を所定定時間だけ表示させた後に液晶表示部２４の画面が消灯する。
【００４２】
以上のことから明らかなように放送波受信装置１によればデジタル放送受信用の部品から発生するノイズの影響を受けることなくアナログ放送を受信できる。
【図面の簡単な説明】
【００４３】
【図１】発明の一実施形態に係る放送波受信装置の系統図。
【図２】発明の一実施形態に係る放送波受信装置の態様を例示した正面図。
【図３】発明の一実施形態に係る放送波受信装置の動作例を説明したフローチャート。
【図４】アナログ放送を受信している際の表示部の動作例（点灯）を説明した説明図。
【図５】アナログ放送を受信している際の表示部の動作例（消灯）を説明した説明図。
【符号の説明】
【００４４】
１…放送波受信装置
２…デジタル関連部、２１…ＤＣ−ＤＣコンバータ、２２…デジタル処理部、２３…液晶表示ドライバ、２４…液晶表示部、２５…画面
３…アナログ関連部、３１…電源ＩＣ、３２…復調部
４…電源
５…制御部
６…入力部、１３…決定ボタン、１４…第一操作ボタン、１５…第二操作ボタン
７…増幅部
８…スピーカー
９…デジタル放送波受信部
１０…アナログ放送波受信部
１１…本体
１２…アンテナ
【図１】
2008245000.tif 000003
【図２】
2008245000.tif 000004
【図３】
2008245000.tif 000005
【図４】
2008245000.tif 000006
【図５】
2008245000.tif 000007